(57)【要約】【課題】生涯燃費算出用のデータを不揮発性メモリに書き込む回数が多くなることを抑制しつつ、不揮発性メモリに記憶されたデータに基づいて算出される生涯燃費の誤差を少なくし得る車両の生涯燃費表示処理装置を提供する。【解決手段】現時点における車両の生涯燃費を算出可能なデータ処理手段２と、生涯燃費のデータを表示出力可能なディスプレイ１と、生涯燃費算出用のデータを記憶し、かつこの記憶したデータは、車両の積算走行距離が所定の距離だけ増加する都度、その時点における新たな生涯燃費算出用のデータに書き換えられる不揮発性メモリ３と、を備えている、車両の生涯燃費表示処理装置Ａであって、前記所定の距離としては、複数種類の距離が設定されており、車両の積算走行距離が短い場合よりも長い場合の方が、前記所定の距離が長くされている。【選択図】  図１
2013177078.tif 000002
【特許請求の範囲】
【請求項１】
現時点における車両の生涯燃費を算出可能なデータ処理手段と、
生涯燃費のデータを表示出力可能なディスプレイと、
生涯燃費算出用のデータを記憶し、かつこの記憶したデータは、車両の積算走行距離が所定の距離だけ増加する都度、その時点における新たな生涯燃費算出用のデータに書き換えられる不揮発性メモリと、
を備えている、車両の生涯燃費表示処理装置であって、
前記所定の距離としては、複数種類の距離が設定されており、
車両の積算走行距離が短い場合よりも長い場合の方が、前記所定の距離が長くされていることを特徴とする、車両の生涯燃費表示処理装置。
【発明の詳細な説明】
【技術分野】
【０００１】
本発明は、自動車などの車両に搭載され、車両の生涯燃費をインストルメントパネルなどのディスプレイに表示させることが可能とされた車両の生涯燃費表示処理装置に関する。
本発明でいう車両の「生涯燃費」とは、車両の積算走行距離に対応した燃費（平均燃費）であって、積算走行距離を燃料使用量の積算値で除した値として求めることができる。たとえば、車両の購入時から現時点までの燃費が該当する。
【背景技術】
【０００２】
従来、車両の運転状態を評価するための手段として、車載のコントローラを利用して、現在の運転状態の燃費（瞬時燃費）に加え、生涯燃費をも算出し、これらの情報をディスプレイに適宜表示させるようにしたものがある（たとえば、特許文献１を参照）。近年においては、ユーザの燃費に対する感心が高いために、前記したような手段は、ユーザのニーズに合致したものとなる。
【０００３】
しかしながら、従来においては、次に述べるように、改善すべき余地があった。
【０００４】
すなわち、生涯燃費を算出するためには、積算走行距離と、この走行距離に対応する燃料使用量の積算値とのデータをメモリに記憶し、かつ適当なタイミングで更新させる必要がある。前記のデータは、たとえば車両のバッテリ交換などがなされ、コントローラへの電源供給が一時的に遮断された場合であっても、適切に保存される必要がある。したがって、前記メモリとしては、不揮発性メモリを用いることが望ましい。不揮発性メモリを用いれば、コントローラへの電源供給が一時的に遮断された場合であっても、その復旧後には不揮発性メモリに記憶されていたデータを利用し、生涯燃費の算出およびその表示処理を継続することができる。
【０００５】
ただし、不揮発性メモリは、書き換え回数寿命（たとえば、１００万回）があるため、データの書き換えを余り高い頻度で行なうことは好ましいものではない。たとえば、走行距離が０．１ｋｍ増加する都度、燃料使用量のデータを書き換えていたのでは、１０万ｋｍの走行距離で、１００万回のデータ書き換え回数となり、メモリに寿命を来たす虞がある。
【０００６】
これを防止する手段としては、データの書き換えがなされる走行距離間隔を、たとえば１０ｋｍ毎にするなど、長くすることが考えられる。ところが、このような手段を採用すると、積算走行距離が短い期間中に、たとえばバッテリが外されたような場合には、バッテリが外される直前に算出されていた実際の生涯燃費と、バッテリの復旧後に不揮発性メモリから読み出したデータに基づいて算出される生涯燃費との差が大きくなり易い。
たとえば、走行距離が１０ｋｍ増加する都度、データの書き換えを行なうように設定した場合には、積算走行距離が２９ｋｍの時点でバッテリが取り外されると、メモリに記憶されていたデータに基づいて算出される生涯燃費は、２０ｋｍ走行時のものとなる。積算走行距離が少ない期間中においては、生涯燃費は変動し易いために、２０ｋｍ走行時の生涯燃費は、２９ｋｍ走行時の生涯燃費と比較して、誤差が大きい場合がある。したがって、バッテリの復旧後において、前記したように誤差が大きい生涯燃費が算出され、かつ表示されたのでは、ユーザに大きな違和感を与える虞がある。
【先行技術文献】
【特許文献】
【０００７】
【特許文献１】特開２０１０−８３２０９号公報
【発明の概要】
【発明が解決しようとする課題】
【０００８】
本発明は、前記したような事情のもとで考え出されたものであり、生涯燃費算出用のデータを不揮発性メモリに書き込む回数が多くなることを抑制しつつ、不揮発性メモリに記憶されたデータの適正化を図り、このデータに基づいて算出される生涯燃費を誤差の少ないものとすることが可能な車両の生涯燃費表示処理装置を提供することを、その課題としている。
【課題を解決するための手段】
【０００９】
上記の課題を解決するため、本発明では、次の技術的手段を講じている。
【００１０】
本発明により提供される車両の生涯燃費表示処理装置は、現時点における車両の生涯燃費を算出可能なデータ処理手段と、生涯燃費のデータを表示出力可能なディスプレイと、生涯燃費算出用のデータを記憶し、かつこの記憶したデータは、車両の積算走行距離が所定の距離だけ増加する都度、その時点における新たな生涯燃費算出用のデータに書き換えられる不揮発性メモリと、を備えている、車両の生涯燃費表示処理装置であって、前記所定の距離としては、複数種類の距離が設定されており、車両の積算走行距離が短い場合よりも長い場合の方が、前記所定の距離が長くされていることを特徴としている。
【００１１】
このような構成によれば、次のような効果が得られる。
すなわち、車両の積算走行距離が短い期間中は、不揮発性メモリに記憶された生涯燃費算出用のデータが、短い走行距離間隔で書き換えられる。したがって、このような状況下において、バッテリの取り外しなどがなされ、それ以前に算出されていた実際の生涯燃費に代えて、不揮発性メモリに記憶されたデータに基づき生涯燃費を算出しても、この値は実際の生涯燃費と比較して誤差が少ないものとなる。その結果、このようにして算出した生涯燃費をディスプレイに表示させたとしても、従来とは異なり、ユーザに違和感を与えないようにすることが可能となる。
一方、車両の積算走行距離が長くなった場合には、不揮発性メモリに記憶されたデータが、長い走行距離間隔で書き換えられる。したがって、不揮発性メモリへのデータ書き込み回数を抑制し、この書き込み回数が不揮発性メモリの使用寿命回数に達する虞を無くすことが可能となる。なお、生涯燃費は、車両の積算走行距離が長くなった場合には大きく変動し難くなる。このため、不揮発性メモリに記憶されたデータを長い走行距離間隔で書き換えるようにしても、この不揮発性メモリに記憶されたデータに基づいて算出される生涯燃費は、実際の生涯燃費と大きく相違したものにはならず、不具合はない。
【００１２】
本発明のその他の特徴および利点は、添付図面を参照して以下に行なう発明の実施の形態の説明から、より明らかになるであろう。
【図面の簡単な説明】
【００１３】
【図１】本発明に係る車両の生涯燃費表示処理装置の一例を示すブロック図である。
【発明を実施するための形態】
【００１４】
以下、本発明の好ましい実施の形態について、図面を参照して具体的に説明する。
【００１５】
図１に示す実施形態の車両の生涯燃費表示処理装置Ａは、自動車の各部の動作機器を制御するためのメインのコントローラＣ、およびディスプレイ１を備えている。コントローラＣは、通信機能を備えたマイクロコンピュータに相当し、ＣＰＵやＲＡＭなどを用いて構成されたデータ処理部２、ＥＥＰＲＯＭなどの不揮発性メモリ３、およびたとえばＣＡ
Ｎ（Controller Area Network）通信用のインタフェース４を備えている。
【００１６】
データ処理部２は、機能的にみると、燃料使用量積算部２０、走行距離積算部２１、瞬間燃費演算部２２、生涯燃費演算部２３、およびデータ書き換え制御部２４を備えた構成である。燃料使用量積算部２０は、エンジンへの燃料噴射制御を行なうための燃料噴射装置５Ａから送られてくる燃料噴射量のデータを受信し、燃料噴射量（燃料使用量）の積算処理を実行する。走行距離積算部２１は、車輪回転センサを有するＡＢＳ(Antilock Brake System)５Ｂから送られてくる走行距離のデータを受信し、積算走行距離を算出する処理を実行する。このようにして得られた燃料使用量の積算値、および積算走行距離のデータは、不揮発性メモリ３に書き込まれるが、このデータは、後述する所定のタイミングで逐次更新される。
【００１７】
瞬間燃費演算部２２は、現時点における瞬間燃費（たとえば１０秒程度の期間における燃費）を算出し、このデータをディスプレイ１に表示させる処理を実行する。ディスプレイ１は、たとえば速度表示などを兼用したものであり、液晶表示器などを利用して構成されている。このディスプレイ１においては、現時点における瞬間燃費や生涯燃費のデータが数字などを用いて表示出力可能である。瞬間燃費と生涯燃費との表示は、切り替え表示方式と同時表示方式のいずれにすることもできる。
【００１８】
生涯燃費演算部２３は、燃料使用量積算部２０および走行距離積算部２１において算出された燃料使用量の積算値、および積算走行距離に基づき、現時点における生涯燃費を演算し、このデータをディスプレイ１に表示させる処理を実行する。ただし、自動車のバッテリが取り外されるなどして、コントローラＣへの電源供給が一時的に中断され、前記した燃料使用量の積算値および積算走行距離のデータが消失した後においては、不揮発性メモリ３に記憶されている燃料使用量の積算値および積算走行距離のデータを利用して生涯燃費が算出される。
【００１９】
データ書き換え制御部２４は、不揮発性メモリ３へのデータ書き込みタイミングを制御する。より具体的には、不揮発性メモリ３には、既述したように、燃料使用量積算部２０および走行距離積算部２１において算出された燃料使用量の積算値と積算走行距離のデータが書き込まれるが、このデータの書き換えは、積算走行距離が所定の距離だけ増加する毎に実行される。ただし、前記所定の距離は、積算走行距離が短い期間中は短くされ、積算走行距離が長くなるに連れて段階的に長くなるように設定されている。
前記所定の距離（データ書き換え走行距離間隔）の一例を挙げると、次の表１のとおりである。
【００２０】
【表１】
2013177078.tif 000003
【００２１】
次に、前記した車両の生涯燃費表示処理装置Ａの作用について説明する。
【００２２】
本実施形態では、表１に示すように、たとえば積算走行距離が０〜１０ｋｍの場合には、車両の走行距離が０．０１ｋｍ増える都度、不揮発性メモリ３における燃料使用量の積算値および積算走行距離のデータ書き換えがなされる。このように、短い走行距離間隔でデータの書き換えがなされると、不揮発性メモリ３に書き込まれているデータは、実際の生涯燃費に略正確に対応したものとなる。したがって、たとえば自動車のバッテリが取り外されてコントローラＣへの電源供給が一時的に中断した後において、不揮発性メモリ３に記憶されているデータに基づき、生涯燃費を算出した場合、この生涯燃費は、実際の生涯燃費と殆ど差のない正確なものとなる。バッテリの取り外し前と復旧後のそれぞれに時期においてディスプレイ１に表示される生涯燃費が大きく相違したのでは、ユーザに違和感を与える虞があるが、本実施形態によれば、そのような不具合を無くすことが可能である。
【００２３】
不揮発性メモリ３のデータ書き換えがなされる走行距離間隔は、積算走行距離が長くなるほど段階的に長くなり、たとえば積算走行距離が１０００ｋｍを超えた場合には、車両の走行距離が１０ｋｍ増える都度にデータ書き換えがなされる。一方、車両の積算走行距離が長い場合には、生涯燃費の値が安定し、たとえば燃費が悪くなる運転を多少行なったとしても、生涯燃費の値はさほど大きく変動しない。したがって、このような状況下において、不揮発性メモリ３についてのデータ書き換え走行距離間隔を比較的長くとったとしても、やはり不揮発性メモリ３に記憶されたデータは、実際の生涯燃費に略正確に対応したものとなる。その結果、積算走行距離が長くなった場合において、バッテリが取り外され、不揮発性メモリ３に記憶されていたデータを利用して生涯燃費を算出する場合、その値を正確なものとすることができる。
【００２４】
一方、不揮発性メモリ３のデータ書き換え頻度は、積算走行距離が短い期間中は多いものの、積算走行距離が長くなると、少なくなる。したがって、長いスパンでみれば、不揮発性メモリ３のデータ書き換え回数については、さほど多くならないようにし、不揮発性メモリ３の寿命回数に届かないようにすることが可能である。前記した表１には、積算走行距離の範囲ごとのデータ書き換え回数が記載されているが、表１に示す制御を実行すれば、自動車の積算走行距離が仮に１００万ｋｍに達したとしても、トータルの書き換え回数は、約１１万回程度に抑えることができる。
【００２５】
表１に示す制御においては、積算走行距離を４つの範囲に区分し、データ書き換え走行距離間隔を４段階で変化させている。したがって、データ書き換え走行距離間隔を、たとえば単に２段階で変化させるような場合と比較すると、不揮発性メモリ３に記憶されたデータの正確性向上と、データ書き込み回数の抑制との両立を適切に図ることができ、好ましいものとなる。もちろん、表１の制御とは異なり、データ書き換え走行距離間隔を、２段階で変化させるだけの場合も、本発明の技術的範囲に包摂される。また、データ書き換え走行距離間隔は、本実施形態よりも多段階（４段階以上）に変化させることもできる。
【００２６】
本発明は、上述した実施形態の内容に限定されない。本発明に係る車両の生涯燃費表示処理装置の各部の具体的な構成は、本発明の意図する範囲内において種々に設計変更自在である。
【００２７】
表１に示した数値は、本発明が意図する不揮発性メモリへのデータ書き換えを行なう場合の一例に過ぎず、これに限定されないことは言う迄もない。本発明でいう「生涯燃費」の定義は、冒頭に述べたとおりである。不揮発性メモリの具体的な種類も問うものではない。
【符号の説明】
【００２８】
Ａ  車両の生涯燃費表示処理装置
１  ディスプレイ
２  データ処理部
３  不揮発性メモリ
【図１】
2013177078.tif 000004